(57)【特許請求の範囲】
【請求項１】
利用者の口の露出を防ぐためのマスク本体と、
前記利用者の外鼻孔の露出を防ぐために前記マスク本体から出っ張っている鼻カバー部と
を備えるマスクであって、
前記鼻カバー部は、前記マスク本体との境界で前記マスク本体に対して折り畳み可能であり、
前記マスクは、
前記鼻カバー部が前記境界で前記マスク本体に対して折り畳まれた状態で前記利用者の頭部に装着される使用形態と、
前記鼻カバー部が前記境界で前記マスク本体に対して折り畳まれていない状態で前記頭部に装着される使用形態と
を有することを特徴とするマスク。
【請求項２】
前記鼻カバー部は、前記境界で前記マスク本体に対して折り畳まれていない状態における下端のみで前記マスク本体に繋がっていることを特徴とする請求項１に記載のマスク。
【請求項３】
前記鼻カバー部が前記境界で前記マスク本体に対して折り畳まれた状態で前記頭部に装着される使用形態として、
前記鼻カバー部が前記境界で前記マスク本体の表側に折り畳まれた状態で前記頭部に装着される使用形態を有することを特徴とする請求項１または請求項２に記載のマスク。
【請求項４】
前記鼻カバー部が前記境界で前記マスク本体に対して折り畳まれた状態で前記頭部に装着される使用形態として、
前記鼻カバー部が前記境界で前記マスク本体の裏側に折り畳まれた状態で前記頭部に装着される使用形態を有することを特徴とする請求項１から請求項３までのいずれかに記載のマスク。
【請求項５】
前記境界を示す目印を備えることを特徴とする請求項１から請求項４までのいずれかに記載のマスク。
【請求項６】
前記境界の少なくとも一部は、前記マスク本体側で自身に隣接する部分と、前記鼻カバー部側で自身に隣接する部分とのうち少なくとも一方と剛性が異なることを特徴とする請求項１から請求項５までのいずれかに記載のマスク。
【請求項７】
利用者の口の露出を防ぐためのマスク本体と、
前記利用者の外鼻孔の露出を防ぐために前記マスク本体から出っ張るように前記マスク本体の表側に取り付けられる鼻カバーと
を備え、
前記鼻カバーは、前記マスク本体に対して着脱可能であることを特徴とするマスク。
【請求項８】
利用者の外鼻孔の露出を防ぐために、前記利用者の口の露出を防ぐためのマスク本体から出っ張るように前記マスク本体の表側に取り付けられることを特徴とする鼻カバー。
【発明の詳細な説明】
【技術分野】
【０００１】
本発明は、利用者の口の露出を防ぐためのマスクおよび鼻カバーに関する。
【背景技術】
【０００２】
従来、不織布で形成されるマスク本体と、利用者の頭部に装着されることによってマスク本体を頭部に対して特定の位置に保持する紐部とを備えるマスクが知られている（例えば、特許文献１参照。）。
【先行技術文献】
【特許文献】
【０００３】
【特許文献１】特開２０２０−０８４３８８号公報
【発明の概要】
【発明が解決しようとする課題】
【０００４】
しかしながら、従来のマスクにおいては、利用者の頭部に装着されている最中に利用者が激しい運動をした場合など、利用者の頭部に装着されている最中における特定の場合に、利用者の頭部の特定の位置からマスク本体がずり下がって利用者の外鼻孔がマスク本体の上端より上側に露出してしまうという問題がある。
【０００５】
そこで、本発明は、利用者の外鼻孔が露出する可能性を低減することができるマスクおよび鼻カバーを提供することを目的とする。
【課題を解決するための手段】
【０００６】
本発明のマスクは、利用者の口の露出を防ぐためのマスク本体と、前記利用者の外鼻孔の露出を防ぐために前記マスク本体から出っ張っている鼻カバー部とを備え、前記鼻カバー部は、前記マスク本体との境界で前記マスク本体に対して折り畳み可能であることを特徴とする。
【０００７】
この構成により、本発明のマスクは、利用者の外鼻孔の露出を防ぐためにマスク本体から出っ張っている鼻カバー部を備えるので、利用者の頭部の特定の位置からマスク本体がずり下がった場合に、マスク本体に対して鼻カバー部が折り畳まれていないとき、利用者の外鼻孔が露出する可能性を鼻カバー部によって低減することができる。また、本発明のマスクは、利用者の頭部の特定の位置からマスク本体がずり下がる可能性が低い場合に、顔の広い範囲を覆われることによる利用者の不快感を、マスク本体に対して鼻カバー部が折り畳まれることによって低減することができる。
【０００８】
本発明のマスクは、前記境界を示す目印を備えても良い。
【０００９】
この構成により、本発明のマスクは、マスク本体と、鼻カバー部との境界を示す目印を備えるので、利用者によるマスク本体に対する鼻カバー部の折り畳みの作業を容易化することができる。
【００１０】
本発明のマスクにおいて、前記境界の少なくとも一部は、前記マスク本体側で自身に隣接する部分と、前記鼻カバー部側で自身に隣接する部分とのうち少なくとも一方と剛性が異なっても良い。
【００１１】
この構成により、本発明のマスクは、マスク本体と、鼻カバー部との境界の少なくとも一部が、マスク本体側で自身に隣接する部分と、鼻カバー部側で自身に隣接する部分とのうち少なくとも一方と剛性が異なるので、利用者によるマスク本体に対する鼻カバー部の折り畳みの作業を容易化することができる。
【００１２】
本発明のマスクは、利用者の口の露出を防ぐためのマスク本体と、前記利用者の外鼻孔の露出を防ぐために前記マスク本体から出っ張るように前記マスク本体に対して取り付けられる鼻カバーとを備え、前記鼻カバーは、前記マスク本体に対して着脱可能であることを特徴とする。
【００１３】
この構成により、本発明のマスクは、利用者の外鼻孔の露出を防ぐためにマスク本体から出っ張るようにマスク本体に対して取り付けられる鼻カバーを備えるので、利用者の頭部の特定の位置からマスク本体がずり下がった場合に、マスク本体に対して鼻カバーが取り付けられているとき、利用者の外鼻孔が露出する可能性を鼻カバーによって低減することができる。また、本発明のマスクは、利用者の頭部の特定の位置からマスク本体がずり下がる可能性が低い場合に、顔の広い範囲を覆われることによる利用者の不快感を、マスク本体に対して鼻カバーが取り外されることによって低減することができる。
【００１４】
本発明の鼻カバーは、利用者の外鼻孔の露出を防ぐために、前記利用者の口の露出を防ぐためのマスク本体から出っ張るように前記マスク本体に対して取り付けられることを特徴とする。
【００１５】
この構成により、本発明の鼻カバーは、利用者の外鼻孔の露出を防ぐためにマスク本体から出っ張るようにマスク本体に対して取り付けられるので、利用者の頭部の特定の位置からマスク本体がずり下がった場合に、マスク本体に対して取り付けられているとき、利用者の外鼻孔が露出する可能性を低減することができる。
【発明の効果】
【００１６】
本発明のマスクおよび鼻カバーは、利用者の外鼻孔が露出する可能性を低減することができる。
【図面の簡単な説明】
【００１７】
【図１】鼻カバー部がマスク本体の表側に折り畳まれた状態で利用者の頭部に装着された場合の、本発明の第１の実施の形態に係るマスクの斜視図の一例である。
【図２】鼻カバー部がマスク本体の裏側に折り畳まれた状態で利用者の頭部に装着された場合の図１に示すマスクの斜視図の一例である。
【図３】鼻カバー部が折り畳まれていない状態で利用者の頭部に装着された場合の図１に示すマスクの斜視図の一例である。
【図４】鼻カバー部がマスク本体の表側に折り畳まれた状態で利用者の頭部に装着された場合に利用者の頭部の特定の位置からマスク本体がずり下がったときの図１に示すマスクの斜視図の一例である。
【図５】鼻カバー部が折り畳まれていない状態で利用者の頭部に装着された場合に利用者の頭部の特定の位置からマスク本体がずり下がったときの図１に示すマスクの斜視図の一例である。
【図６】マスク本体と、鼻カバー部との境界に折り目が付されている場合の図１に示すマスクの斜視図の一例である。
【図７】鼻カバーがマスク本体に取り付けられていない状態で利用者の頭部に装着された場合の、本発明の第２の実施の形態に係るマスクの斜視図の一例である。
【図８】鼻カバーがシールによってマスク本体の表側に取り付けられた状態で利用者の頭部に装着された場合の図７に示すマスクの斜視図の一例である。
【図９】（ａ）裏側の左右１箇所ずつにクリップが取り付けられた鼻カバーの側面図である。  （ｂ）図９（ａ）に示す鼻カバーがクリップによってマスク本体の表側に取り付けられた状態で利用者の頭部に装着された場合の図７に示すマスクの斜視図の一例である。
【図１０】（ａ）裏側の中央にクリップが取り付けられた鼻カバーの底面図である。  （ｂ）図１０（ａ）に示す鼻カバーがクリップによってマスク本体の表側に取り付けられた状態で利用者の頭部に装着された場合の図７に示すマスクの斜視図の一例である。
【発明を実施するための形態】
【００１８】
以下、本発明の実施の形態について、図面を用いて説明する。
【００１９】
（第１の実施の形態）
図１は、鼻カバー部１２がマスク本体１１の表側に折り畳まれた状態で利用者９０の頭部９１に装着された場合の、本発明の第１の実施の形態に係るマスク１０の斜視図の一例である。図２は、鼻カバー部１２がマスク本体１１の裏側に折り畳まれた状態で利用者９０の頭部９１に装着された場合のマスク１０の斜視図の一例である。図３は、鼻カバー部１２が折り畳まれていない状態で利用者９０の頭部９１に装着された場合のマスク１０の斜視図の一例である。
【００２０】
図１〜図３に示すように、マスク１０は、利用者９０の口の露出を防ぐためのマスク本体１１と、利用者９０の鼻９１ａの外鼻孔９１ｂ（図４参照。）の露出を防ぐためにマスク本体１１から出っ張っている鼻カバー部１２と、利用者９０の頭部９１に装着されることによってマスク本体１１を頭部９１に対して特定の位置に保持する紐部１３とを備えている。
【００２１】
マスク本体１１は、例えば、綿織物などの不織布以外の布、不織布、ポリウレタンなど、様々な材料で形成されることが可能である。
【００２２】
鼻カバー部１２は、マスク本体１１の上端より上側に出っ張って設けられている。鼻カバー部１２は、例えば、綿織物などの不織布以外の布、不織布、ポリウレタンなど、様々な材料で形成されることが可能である。鼻カバー部１２は、図１に示すようにマスク本体１１と、鼻カバー部１２との境界１０ａでマスク本体１１に対して外側、すなわち、マスク本体１１の表側に折り畳まれて使用されることも可能であるし、図２に示すように境界１０ａでマスク本体１１に対して内側、すなわち、マスク本体１１の裏側に折り畳まれて使用されることも可能であるし、図３に示すようにマスク本体１１に対して折り畳まれずに使用されることも可能である。
【００２３】
マスク本体１１と、鼻カバー部１２とは、一部品として一体に形成されても良い。
【００２４】
紐部１３は、マスク本体１１に連結されている。紐部１３は、利用者９０の耳９１ｃに掛けられることによって利用者９０の頭部９１に装着される。
【００２５】
マスク本体１１と、紐部１３とは、一部品として一体に形成されても良い。
【００２６】
図４は、鼻カバー部１２がマスク本体１１の表側に折り畳まれた状態で利用者９０の頭部９１に装着された場合に利用者９０の頭部９１の特定の位置からマスク本体１１がずり下がったときのマスク１０の斜視図の一例である。
【００２７】
マスク１０は、図１に示すように利用者９０の頭部９１に装着されている最中に利用者９０が激しい運動をした場合など、図１に示すように利用者９０の頭部９１に装着されている最中における特定の場合に、図４に示すように利用者９０の頭部９１の特定の位置からマスク本体１１がずり下がって利用者９０の外鼻孔９１ｂがマスク本体１１の上端より上側に露出してしまうことがある。
【００２８】
以上においては、鼻カバー部１２がマスク本体１１の表側に折り畳まれた状態で利用者９０の頭部９１に装着された場合に利用者９０の頭部９１の特定の位置からマスク本体１１がずり下がったときについて説明している。しかしながら、鼻カバー部１２がマスク本体１１の裏側に折り畳まれた状態で利用者９０の頭部９１に装着された場合に利用者９０の頭部９１の特定の位置からマスク本体１１がずり下がったときも同様に、利用者９０の外鼻孔９１ｂがマスク本体１１の上端より上側に露出してしまうことがある。
【００２９】
図５は、鼻カバー部１２が折り畳まれていない状態で利用者９０の頭部９１に装着された場合に利用者９０の頭部９１の特定の位置からマスク本体１１がずり下がったときのマスク１０の斜視図の一例である。
【００３０】
マスク１０は、図３に示すように利用者９０の頭部９１に装着されている最中に利用者９０が激しい運動をした場合など、図３に示すように利用者９０の頭部９１に装着されている最中における特定の場合に、図５に示すように利用者９０の頭部９１の特定の位置からマスク本体１１がずり下がる。しかしながら、マスク１０は、鼻カバー部１２が折り畳まれていない場合、利用者９０の頭部９１の特定の位置からマスク本体１１がずり下がったとしても、図５に示すように、利用者９０の外鼻孔９１ｂ（図４参照。）がマスク本体１１の上端より上側に露出することを鼻カバー部１２によって防止することができる。
【００３１】
以上に説明したように、マスク１０は、利用者９０の外鼻孔９１ｂの露出を防ぐためにマスク本体１１から出っ張っている鼻カバー部１２を備えるので、利用者９０の頭部９１の特定の位置からマスク本体１１がずり下がった場合に、マスク本体１１に対して鼻カバー部１２が折り畳まれていないとき、利用者９０の外鼻孔９１ｂが露出する可能性を図５に示すように鼻カバー部１２によって低減することができる。したがって、利用者９０は、例えばマスク１０を頭部９１に装着してランニングする場合など、マスク本体１１が頭部９１の特定の位置からずり下がる可能性が高い場合に、図３に示すようにマスク本体１１に対して鼻カバー部１２を折り畳まずにマスク１０を頭部９１に装着することによって、外鼻孔９１ｂが露出する可能性を図５に示すように鼻カバー部１２によって低減することができる。
【００３２】
マスク１０は、利用者９０の頭部９１の特定の位置からマスク本体１１がずり下がる可能性が低い場合に、顔の広い範囲を覆われることによる利用者９０の不快感を、図１または図２に示すようにマスク本体１１に対して鼻カバー部１２が折り畳まれることによって低減することができる。
【００３３】
図６は、マスク本体１１と、鼻カバー部１２との境界１０ａに折り目１０ｂが付されている場合のマスク１０の斜視図の一例である。
【００３４】
マスク１０は、図６に示すように、マスク本体１１と、鼻カバー部１２との境界１０ａに折り目１０ｂが付されていても良い。
【００３５】
折り目１０ｂは、マスク本体１１と、鼻カバー部１２との境界１０ａを示す目印として機能する。図６に示すマスク１０は、マスク本体１１と、鼻カバー部１２との境界１０ａを示す目印を備えるので、利用者９０によるマスク本体１１に対する鼻カバー部１２の折り畳みの作業を容易化することができる。
【００３６】
なお、境界１０ａを示す目印は、折り目以外の方法によって構成されても良い。例えば、境界１０ａを示す目印は、線によって描かれても良いし、縫い目によって構成されても良い。
【００３７】
折り目１０ｂは、マスク本体１１のうちの、折り目１０ｂ自身に隣接する部分より剛性が低い。同様に、折り目１０ｂは、鼻カバー部１２のうちの、折り目１０ｂ自身に隣接する部分より剛性が低い。図６に示すマスク１０は、折り目１０ｂが、マスク本体１１側で折り目１０ｂ自身に隣接する部分と剛性が異なるとともに、鼻カバー部１２側で折り目１０ｂ自身に隣接する部分とも剛性が異なるので、利用者９０によるマスク本体１１に対する鼻カバー部１２の折り畳みの作業を容易化することができる。
【００３８】
図６に示すマスク１０において、境界１０ａは、マスク本体１１側で境界１０ａ自身に隣接する部分と剛性が異なるとともに、鼻カバー部１２側で境界１０ａ自身に隣接する部分とも剛性が異なる。しかしながら、利用者９０によるマスク本体１１に対する鼻カバー部１２の折り畳みの作業を容易化する効果は、境界１０ａの少なくとも一部がマスク本体１１側で自身に隣接する部分と剛性が異なることと、境界１０ａの少なくとも一部が鼻カバー部１２側で自身に隣接する部分と剛性が異なることとのいずれか一方だけでも得ることが可能である。
【００３９】
折り目１０ｂは、図６に示す例では境界１０ａの全体に設けられている。しかしながら、境界１０ａの一部のみに、折り目が設けられても良い。
【００４０】
境界１０ａの少なくとも一部を、マスク本体１１側で自身に隣接する部分と剛性を異ならせる方法としては、折り目以外の方法であっても良い。例えば、境界１０ａに縫い目が設けられたり、マスク本体１１のうちの境界１０ａに隣接する部分が例えばワイヤーなどの補強部材で補強されたりしても、境界１０ａの少なくとも一部を、マスク本体１１側で自身に隣接する部分と剛性を異ならせることが可能である。以上においては、境界１０ａの少なくとも一部を、マスク本体１１側で自身に隣接する部分と剛性を異ならせる方法について説明したが、境界１０ａの少なくとも一部を、鼻カバー部１２側で自身に隣接する部分と剛性を異ならせる方法についても同様である。
【００４１】
マスク１０は、図１に示すように鼻カバー部１２がマスク本体１１の表側に折り畳まれる場合、鼻カバー部１２がマスク本体１１に対して折り畳まれた際に鼻カバー部１２が利用者９０の顔に接触しないので、鼻カバー部１２が顔に接触することによる利用者９０の不快感を防止することができる。また、マスク１０は、図１に示すように鼻カバー部１２がマスク本体１１の表側に折り畳まれる場合、鼻カバー部１２がマスク本体１１に対して折り畳まれた際に鼻カバー部１２の裏面が露出するので、鼻カバー部１２の裏面の模様および色彩によってマスク１０全体の審美性を向上することができる。
【００４２】
マスク１０は、図２に示すように鼻カバー部１２がマスク本体１１の裏側に折り畳まれる場合、鼻カバー部１２がマスク本体１１に対して折り畳まれた際に鼻カバー部１２が露出しないので、鼻カバー部１２の露出による審美性の低下を防止することができる。
【００４３】
（第２の実施の形態）
図７は、鼻カバーがマスク本体２１に取り付けられていない状態で利用者９０の頭部９１に装着された場合の、本発明の第２の実施の形態に係るマスク２０の斜視図の一例である。図８は、鼻カバー２３がシール２３ａによってマスク本体２１の表側に取り付けられた状態で利用者９０の頭部９１に装着された場合のマスク２０の斜視図の一例である。
【００４４】
図７および図８に示すように、マスク２０は、利用者９０の口の露出を防ぐためのマスク本体２１と、利用者９０の頭部９１に装着されることによってマスク本体２１を頭部９１に対して特定の位置に保持する紐部２２と、利用者９０の鼻９１ａの外鼻孔９１ｂ（図４参照。）の露出を防ぐための鼻カバー２３とを備えている。
【００４５】
マスク本体２１は、例えば、綿織物などの不織布以外の布、不織布、ポリウレタンなど、様々な材料で形成されることが可能である。
【００４６】
紐部２２は、マスク本体２１に連結されている。紐部２２は、利用者９０の耳９１ｃに掛けられることによって利用者９０の頭部９１に装着される。
【００４７】
マスク本体２１と、紐部２２とは、一部品として一体に形成されても良い。マスク２０のうち、鼻カバー２３を除いた部分としては、例えば、一般的な使い捨てマスクが採用されても良い。
【００４８】
鼻カバー２３は、一部がマスク本体２１の上端より上側に出っ張るように例えばシール２３ａによってマスク本体２１に取り付けられることが可能である。鼻カバー２３は、例えば、綿織物などの不織布以外の布、不織布、ポリウレタンなど、様々な材料で形成されることが可能である。
【００４９】
以上に説明したように、マスク２０は、利用者９０の外鼻孔９１ｂの露出を防ぐためにマスク本体２１から出っ張るようにマスク本体２１に対して取り付けられる鼻カバー２３を備えるので、利用者９０の頭部９１の特定の位置からマスク本体２１がずり下がった場合に、マスク本体２１に対して鼻カバー２３が取り付けられているとき、利用者９０の外鼻孔９１ｂが露出する可能性を鼻カバー２３によって低減することができる。したがって、利用者９０は、例えばマスク２０を頭部９１に装着してランニングする場合など、マスク本体２１が頭部９１の特定の位置からずり下がる可能性が高い場合に、図８に示すようにマスク本体２１に対して鼻カバー２３を取り付けてマスク２０を頭部９１に装着することによって、外鼻孔９１ｂが露出する可能性を鼻カバー２３によって低減することができる。
【００５０】
マスク２０は、利用者９０の頭部９１の特定の位置からマスク本体２１がずり下がる可能性が低い場合に、顔の広い範囲を覆われることによる利用者９０の不快感を、図７に示すようにマスク本体２１に対して鼻カバー２３が取り付けられないことによって低減することができる。
【００５１】
鼻カバー２３は、マスク本体２１に対して取り付け可能であるが、更にマスク本体２１に対して取り外し可能であっても良い。すなわち、鼻カバー２３は、マスク本体２１に対して着脱可能であっても良い。
【００５２】
鼻カバー２３は、図８に示す例では、鼻カバー２３の裏側に配置されたシール２３ａによってマスク本体２１の表側に取り付けられる。しかしながら、鼻カバー２３は、シール以外の方法によってマスク本体２１に取り付けられても良い。例えば、鼻カバー２３は、接着剤によってマスク本体２１に取り付けられても良いし、面ファスナーによってマスク本体２１に取り付けられても良いし、クリップによってマスク本体２１に取り付けられても良い。
【００５３】
図９（ａ）は、裏側の左右１箇所ずつにクリップ２３ｂが取り付けられた鼻カバー２３の側面図である。図９（ｂ）は、鼻カバー２３がクリップ２３ｂによってマスク本体２１の表側に取り付けられた状態で利用者９０の頭部９１に装着された場合のマスク２０の斜視図の一例である。
【００５４】
鼻カバー２３は、図９に示すように、鼻カバー２３の裏側の左右１箇所ずつに取り付けられたクリップ２３ｂがマスク本体２１の上端部を挟み込むことによって、マスク本体２１の表側に取り付けられても良い。
【００５５】
図１０（ａ）は、裏側の中央にクリップ２３ｃが取り付けられた鼻カバー２３の底面図である。図１０（ｂ）は、鼻カバー２３がクリップ２３ｃによってマスク本体２１の表側に取り付けられた状態で利用者９０の頭部９１に装着された場合のマスク２０の斜視図の一例である。
【００５６】
鼻カバー２３は、図１０に示すように、鼻カバー２３の裏側の中央に取り付けられたクリップ２３ｃがマスク本体２１の表面の一部を挟み込むことによって、マスク本体２１の表側に取り付けられても良い。
【００５７】
鼻カバー２３は、以上に説明した各例では、マスク本体２１の上端より上側に一部が出っ張るようにマスク本体２１の表側に取り付けられる。しかしながら、鼻カバー２３は、マスク本体２１の上端より上側に一部が出っ張るようにマスク本体２１の裏側に取り付けられても良い。
【符号の説明】
【００５８】
１０  マスク
１０ａ  境界
１０ｂ  折り目（目印）
１１  マスク本体
１２  鼻カバー部
２０  マスク
２１  マスク本体
２３  鼻カバー
９０  利用者
９１ｂ  外鼻孔
【要約】
【課題】  利用者の外鼻孔が露出する可能性を低減することができるマスクおよび鼻カバーを提供する。
【解決手段】  マスク１０は、利用者９０の口の露出を防ぐためのマスク本体１１と、利用者９０の外鼻孔の露出を防ぐためにマスク本体１１から出っ張っている鼻カバー部１２と、利用者９０の頭部９１に装着されることによってマスク本体１１を頭部９１に対して特定の位置に保持する紐部１３とを備え、鼻カバー部１２は、マスク本体１１との境界でマスク本体１１に対して折り畳み可能であることを特徴とする。
【選択図】  図３【図１】
0006960551.tif 000002
【図２】
0006960551.tif 000003
【図３】
0006960551.tif 000004
【図４】
0006960551.tif 000005
【図５】
0006960551.tif 000006
【図６】
0006960551.tif 000007
【図７】
0006960551.tif 000008
【図８】
0006960551.tif 000009
【図９】
0006960551.tif 000010
【図１０】
0006960551.tif 000011